【手続補正書】
【提出日】平成19年4月2日(2007.4.2)
【手続補正１】
【補正対象書類名】明細書
【補正対象項目名】特許請求の範囲
【補正方法】変更
【補正の内容】
【特許請求の範囲】
【請求項１】
電話呼出を選択的に受容する能力を被呼側エンティティに提供する方法であって、
PSTNを介して、呼出処理装置において、第１のエンティティから第２のエンティティの仮想的な電話番号への呼出を受信し、
前記第２のエンティティに関連するネットワーク接続されたコンピュータとのインターネットを介した通信チャネルをオープンし、
前記第１のエンティティからの音声を記録し、及び該音声が前記ネットワーク接続されたコンピュータにより前記第２のエンティティに対して再生されるように該音声を前記インターネット通信チャネルを介して前記ネットワーク接続されたコンピュータへ送信し、
前記ネットワーク接続されたコンピュータを介して前記第２のエンティティから前記インターネット通信チャネルを介して命令を受信し、該受信した命令に少なくとも部分的に応じて前記第１のエンティティの呼出を複数の考え得る第２のエンティティの端末宛先のうちの１つへ選択的に接続させる、
という各ステップを含む方法。
【請求項２】
前記仮想的な電話番号が有線電話アドレスである、請求項１に記載の方法。
【請求項３】
前記仮想的な電話番号がワイヤレス電話アドレスである、請求項１に記載の方法。
【請求項４】
前記ネットワーク接続されたコンピュータが常時オン接続を介してインターネットに接続される、請求項１に記載の方法。
【請求項５】
前記ネットワーク接続されたコンピュータが無線接続を介してインターネットに接続される、請求項１に記載の方法。
【請求項６】
ネットワーク接続されたコンピュータを介して聞き取りにより呼出をスクリーニングする能力を被呼側に提供するためにデータネットワークを使用する方法であって、
第１のシステムにおいて被呼側を意図した発呼側からの呼出を受信し、該呼出に関連する信号情報が前記発呼側の電話番号を含み、
前記発呼側に対して挨拶を再生し、
前記被呼側に関連するネットワーク接続されたコンピュータとのデータネットワークを介した通信チャネルをオープンし、
前記ネットワーク接続されたコンピュータ上の前記被呼側に対して表示するために前記信号情報の少なくとも一部を実質的にリアルタイムで送信し、
前記発呼側から前記通信チャネルを介して前記ネットワーク接続されたコンピュータへ音声通信を実質的にリアルタイムで送信して、前記被呼側が前記音声通信を実質的にリアルタイムで聞いて前記発呼側の呼出をスクリーニングできるようにする、
という各ステップを含む方法。
【請求項７】
ユーザインタフェイスを被呼側に提供するステップを更に含み、該ユーザインタフェイスが、前記ネットワーク接続されたコンピュータに関連する表示手段の一部にのみ表示されるよう構成され、該表示手段が、前記被呼側が呼出を受けることを所望することを該被呼側が指示することを可能にする制御手段を含む、請求項６に記載の方法。
【請求項８】
ユーザインタフェイスを被呼側に提供するステップを更に含み、該ユーザインタフェイスが、前記ネットワーク接続されたコンピュータに関連する表示手段上に表示されるよう構成され、及び該ユーザインタフェイスが、
前記被呼側が、前記ネットワーク接続されたコンピュータを使用して前記呼出を接続することを所望することを該被呼側が指示することを可能にする、第１の制御手段と、
前記被呼側が、回路交換網に関連する装置又は電話番号へ前記呼出を送ることを所望することを該被呼側が指示することを可能にする、第２の制御手段と
の一方又は両方を含む、請求項６に記載の方法。
【請求項９】
前記ネットワーク接続されたコンピュータが前記被呼側の電話回線に接続される、請求項６に記載の方法。
【請求項１０】
前記ネットワーク接続されたコンピュータへ音声通信を送信するのに先立ち、該ネットワーク接続されたコンピュータが前記被呼側の電話回線に接続されていることを、該ネットワーク接続されたコンピュータをホストとするアプリケーションを介して判定するステップを更に含む、請求項６に記載の方法。
【請求項１１】
前記呼出が、ビジー呼出転送及び／又は無返答呼出転送を含むグループから選択された１つの呼出方向付け方法により前記第１のシステムへ転送される、請求項６に記載の方法。
【請求項１２】
前記発呼側からの前記呼出が、前記被呼側に関連する仮想的な電話番号へ方向付けされる、請求項６に記載の方法。
【請求項１３】
前記呼出が、PSTNゲートウェイを介して前記第１のシステムで受信される、請求項６に記載の方法。
【請求項１４】
前記ネットワーク接続されたコンピュータがPSTNダイヤルアップ回線をPOT電話と共有する、請求項６に記載の方法。
【請求項１５】
前記データネットワークがインターネットである、請求項６に記載の方法。
【請求項１６】
発呼側からの可聴メッセージを介してワイヤレス電話を使用して呼出をスクリーニングする能力を被呼側に提供する方法であって、
第１のシステムにおいて被呼側を意図した発呼側からの呼出を受信し、
前記第１のシステムを介して前記発呼側へ挨拶を再生し、
前記被呼側に関連するワイヤレス電話との通信チャネルをオープンし、
前記第１のシステムを介して前記発呼側から前記通信チャネルを介して前記ワイヤレス電話へ可聴音声通信を実質的にリアルタイムで送信して、前記被呼側が前記可聴音声通信を実質的にリアルタイムで聞いてそのスクリーニングを行うことができるようにする、
という各ステップを含む方法。
【請求項１７】
前記ワイヤレス電話が、該ワイヤレス電話での呼出の受容を可能にする第１の制御手段を提供するよう構成される、請求項１５に記載の方法。
【請求項１８】
前記ワイヤレス電話が、呼出の転送を可能にする第１の制御手段を提供するよう構成されたコマンドセンターアプリケーションのホストとなる、請求項１５に記載の方法。
【請求項１９】
前記呼出が、ビジー呼出転送、無返答呼出転送、全呼出転送、及び／又は電話番号ポータビリティを含むグループから選択された１つの呼出方向付け方法によって前記第１のシステムへ転送される、請求項１５に記載の方法
【請求項２０】
呼出の存在を示すメッセージをデータネットワーク接続を介してユーザインタフェイスへ送るステップを更に含む、請求項１５に記載の方法。
【請求項２１】
前記データネットワークがインターネットである、請求項２０に記載の方法。
【請求項２２】
回路交換網に関連する装置又は電話番号へ前記呼出を送ること、及び、
前記ネットワーク接続されたコンピュータを使用して前記呼出に接続すること
の一方又は両方を含む１つのグループから選択された呼出操作命令を被呼側のユーザインタフェイスを介して受信するステップを更に含む、請求項１５に記載の方法。
【請求項２３】
前記被呼側により後に取り出せるよう前記第１のシステムにおいて前記音声通信を記録するステップを更に含む、請求項１５に記載の方法。
【請求項２４】
前記ワイヤレス電話がセルラー電話である、請求項１５に記載の方法。
【請求項２５】
被呼側が、画面上に表示された呼出管理ユーザインタフェイスを有する装置を介して聞き取りにより呼出のスクリーニングを行うことを可能にする方法であって、
第１のシステムにおいて被呼側を意図した発呼側からの呼出を受信し、
表示手段を有する通信装置に対して通信チャネルをオープンし、該表示手段が、
前記被呼側により選択された際に、前記第１のシステムに、前記被呼側が前記発呼側と会話することを可能にさせる、第１の制御手段と、
前記被呼側により選択された際に、前記第１のシステムに、前記呼出を別の通信装置へ送らせる、第２の制御手段と
を含むユーザインタフェイスを表示するものであり、
前記発呼側へ挨拶を再生し、
前記発呼側から前記通信チャネルを介して前記通信装置へ可聴音声通信を実質的にリアルタイムで送信して、前記被呼側が前記可聴音声通信を実質的にリアルタイムで聞いて前記発呼側の呼出をスクリーニングすることができるようにし、
前記発呼側からの音声通信が実質的にリアルタイムで送信されている間に前記被呼側が前記第１の制御手段又は第２の制御手段を選択したという指示を前記第１のシステムにおいて受信する、
という各ステップを含む方法。
【請求項２６】
前記通信装置がワイヤレス電話である、請求項２５に記載の方法。
【請求項２７】
前記音声通信がデータネットワークを使用して実質的にリアルタイムで送信される、請求項２５に記載の方法。
【請求項２８】
前記第２の制御手段の選択により、前記呼出が少なくとも部分的にインターネットを介して別の通信装置へ送られる、請求項２５に記載の方法。
【請求項２９】
前記第２の制御手段の選択により、前記呼出が少なくとも部分的に公衆交換電話回線網を介して別の通信装置へ送られる、請求項２５に記載の方法。
【請求項３０】
前記呼出が、ビジー呼出転送及び／又は無返答呼出転送を含むグループから選択された１つの呼出方向付け方法により前記第１のシステムへ転送される、請求項２５に記載の方法。
【請求項３１】
前記第１の制御手段及び前記第２の制御手段を提供する前記ユーザインタフェイスの大きさが約25.8cm2（4inch2）以下である、請求項２５に記載の方法。
【請求項３２】
被呼側を探し出して該被呼側に呼出を聞き取りによりスクリーニングする能力を提供する方法であって
第１のシステムにおいて被呼側を意図した発呼側からの呼出を受信し、
前記発呼側へ挨拶を再生し、
前記第１のシステムに関連するコンピュータにより読み出すことが可能なメモリから前記被呼側に関連する複数の端末に対応する格納された情報を取り出し、
該複数の端末のうち前記被呼側が現在位置している端末を判定し、
前記被呼側が現在位置している端末との通信チャネルをオープンし、
前記発呼側から前記通信チャネルを介して前記被呼側が現在位置している端末へ音声通信を実質的にリアルタイムで送信して、前記被呼側が前記音声通信を実質的にリアルタイムで聞いて前記発呼側の呼出をスクリーニングすることができるようにする、
という各ステップを含む方法。
【請求項３３】
複数の端末に対応する前記情報が、家庭用電話番号、業務用電話番号、及び／又はセルラー電話番号を含む、請求項３２に記載の方法。
【請求項３４】
前記被呼側が現在位置している端末を判定して該被呼側が現在位置している端末との通信チャネルをオープンするプロセスを該被呼側が認識していない、請求項３２に記載の方法。
【請求項３５】
前記被呼側が現在位置している端末に関連する電話番号を該被呼側が認識していない、請求項３２に記載の方法。
【請求項３６】
前記被呼側が現在位置している端末がセルラー電話である、請求項３２に記載の方法。
【請求項３７】
前記音声通信が少なくとも部分的にデータネットワークを介して実質的にリアルタイムで送信される、請求項３２に記載の方法。
【請求項３８】
前記音声通信が少なくとも部分的に無線ネットワークを介して実質的にリアルタイムで送信される、請求項３２に記載の方法。
【請求項３９】
前記音声通信が少なくとも部分的に公衆交換電話回線網を介して実質的にリアルタイムで送信される、請求項３２に記載の方法。
【請求項４０】
前記被呼側が現在位置している端末においてユーザインタフェイスが表示され、該ユーザインタフェイスが、呼出を別の端末に送ることをユーザが指示することを可能にする制御手段を提供する、請求項３２に記載の方法。
【請求項４１】
約25.8cm2（4inch2）以下の大きさのユーザインタフェイスが、前記被呼側が現在位置している端末において表示され、該ユーザインタフェイスが、呼出を別の端末に送ることをユーザが指示することを可能にする制御手段を提供する、請求項３２に記載の方法。
【請求項４２】
電話呼出を選択的に受容する能力を被呼側エンティティに提供するシステムであって、
電話回線網を介して、呼出処理装置において、第１のエンティティから第２のエンティティの仮想的な電話番号への呼出を受信する手段と、
前記第２のエンティティに関連するネットワーク接続されたコンピュータとのデータネットワークを介した通信チャネルをオープンする手段と、
前記第１のエンティティからの音声を記録し、及び該音声が前記ネットワーク接続されたコンピュータにより前記第２のエンティティに対して再生されるように該音声を前記通信チャネルを介して前記ネットワーク接続されたコンピュータへ送信する手段と、
前記ネットワーク接続されたコンピュータを介して前記第２のエンティティから前記通信チャネルを介して命令を受信し、及び該受信した命令に少なくとも部分的に応じて前記第１のエンティティの呼出を複数の考え得る第２のエンティティの端末宛先のうちの１つへ選択的に接続させる手段と
を含むシステム。
【請求項４３】
前記仮想的な電話番号が有線電話アドレスである、請求項４２に記載の方法。
【請求項４４】
前記仮想的な電話番号がワイヤレス電話アドレスである、請求項４２に記載の方法。
【請求項４５】
前記データネットワークがインターネットである、請求項４２に記載のシステム。